(57)【要約】【課題】  携帯電話機など携帯端末装置を用いて、簡単にすばやく対応でき、より利便性の高い異常対処をおこなうことができる画像システムを提供する。【解決手段】  エラーコードを表示できる画像処理装置の異常対処をおこなう画像システムにおいて、そのエラーコードに対応したエラー対処方法が記憶されているデータベース２をサーバー装置１側に備え、画像処理装置に異常が発生し、その画像処理装置の表示手段にエラー発生理由ごとに決められた所定のエラーコードが表示され、そのエラーコードが携帯端末装置３に入力されたとき、その携帯端末装置３はそのエラーコードをメールによりサーバー装置１へ送信し、そのエラーコードを受信したサーバー装置１はそのエラーコードに対応したエラー対処方法記載の情報をデータベース２から検索し、該当するエラー対処方法記載のメールを携帯端末装置３へ送信する構成にした。【選択図】        図１
2005064762.tif 000002
【特許請求の範囲】
【請求項１】
エラーコードを表示する表示手段と、原稿を光学的に読み取る原稿読取り手段と、画像を記録紙に作像して排紙する画像形成手段とを備えた画像処理装置の異常対処をおこなうことができる画像システムにおいて、受信メールからエラーコードを抽出するエラーコード抽出手段と、前記エラーコードに対応したエラー対処方法が記憶されているデータベース手段とをサーバー装置側に備え、前記画像処理装置に異常が発生し、その画像処理装置の表示手段にエラー発生理由ごとに決められた所定のエラーコードが表示され、該エラーコードが携帯端末装置に入力されたとき、該携帯端末装置は入力されたエラーコードをメールにより前記サーバー装置へ送信し、該エラーコードを受信したサーバー装置は該エラーコードに対応したエラー対処方法記載の情報を前記データベース手段から検索し、該当するエラー対処方法記載のメールを前記携帯端末装置へ送信する構成にしたことを特徴とする画像システム。
【請求項２】
請求項１記載の画像システムにおいて、エラーコードを受信したとき、前記サーバー装置はエラー対処方法に関する対処情報記載のメールにその対処情報と関連付けられた参考画像ファイルまたは参考動画ファイルを添付する構成にしたことを特徴とする画像システム。
【請求項３】
請求項１または請求項２記載の画像システムにおいて、前記サーバー装置側に前記対処情報の他により詳細な対処方法を記載した詳細対処情報を記憶しておき、前記対処情報記載のメールに、対応する詳細対処情報にアクセスするためのアクセス情報を記載する構成にしたことを特徴とする画像システム。
【請求項４】
請求項３記載の画像システムにおいて、前記詳細対処情報をｗｅｂページとして記憶しておき、前記アクセス情報をｗｅｂページアドレスとしたことを特徴とする画像システム。
【発明の詳細な説明】
【技術分野】
【０００１】
本発明は、複写機、プリンタ、スキャナなど画像処理装置において発生する異常状態に対処できる画像システムに関する。
【背景技術】
【０００２】
図７に、一般的な複写機の外観を示す。図示したように、本体１１、原稿を読み取るための原稿送り装置などから構成される原稿読取り部１２、記録紙などを保管し給紙する給紙部１３、作像され定着された記録紙を排出する排紙部１４、各種表示をおこない操作者に指示をおこなわせたりするための表示操作部１５などを備えている。また、図８に構成ブロック図を示したように、この複写機はシステムコントローラ１６、そのシステムコントローラ１６により制御されるプロッタエンジン１７などを備え、表示操作部１５からの操作者の指示に応じて原稿を読み取り、記録紙上に画像を形成し出力する。また、ファクシミリ機能やプリント機能やスキャン機能については、外部インタフェース（Ｉ／Ｆ）１８に接続された通信線を経由して画像データおよびコマンドの送受信をおこなうことによりおこなっている。
このような複写機など画像処理装置では、従来、紙ジャムや装置故障などの異常状態が起きた場合、操作者が装置の表示部に表示されたエラー表示をもとに、表示に従った指示、または取扱説明書を参照することにより対処するのが一般的であった。しかしながら、従来の画像処理装置では、機能が進化し操作が複雑化する一方で、コストなどの兼ね合いでエラー表示が簡素化され、それ故、操作者が対処方法について戸惑うことがあった。また、装置異常は機種毎に異なっているので、対処方法が機種毎に異なり、操作者が戸惑うことがあった。また、取扱説明書は分厚く、対処方法の記載を探し出すのに時間がかかっていた。
そのため、特開２００２−１９６９１７公報に示された従来技術では、ネットワーク化したトラブル処理システムにより迅速な対応を図っている。このシステムでは、ホスト装置からプリンタに印刷指示およびデータを送信した際にプリンタのトラブルで印刷できない場合、プリンタではエラー内容を表示するとともにトラブル内容をホスト装置へ通知する。これにより、ホスト装置はその詳細内容を表示し、サービスセンタのサーバー装置へトラブル通知をおこなう。こうして、サーバー装置は、管理しているデータベースの中からトラブルの原因とそのトラブル処理方法を検索し、トラブル処理方法を当該ホスト装置へ通知する。
【特許文献１】特開２００２−１９６９１７公報
【発明の開示】
【発明が解決しようとする課題】
【０００３】
近年、携帯電話機の急速な普及とともに携帯電話機の機能も向上して、携帯電話機のみで電子メールの送受信が可能となり、また、ブラウザ機能を内蔵した携帯電話機も普及している。また、携帯電話機の操作画面についてはカラー化が進んでおり、表示機能も向上しつつある。さらに、近年ではカラーの動画ファイルを携帯電話機から送受信できる。
しかしながら、前記特開２００２−１９６９１７公報に示された従来技術ではこのような携帯電話機を利用せず、そのため、ネットワークに接続されたホスト装置が必要であった。
本発明の目的は、このような従来技術の問題を解決することにあり、具体的には、広く普及している携帯電話機など携帯端末装置を用いて、簡単にすばやく対応でき、より利便性の高い異常対処をおこなうことができる画像システムを提供することにある。
【課題を解決するための手段】
【０００４】
前記の課題を解決するために、請求項１記載の発明では、エラーコードを表示する表示手段と、原稿を光学的に読み取る原稿読取り手段または画像を記録紙に作像して排紙する画像形成手段とを備えた画像処理装置の異常対処をおこなうことができる画像システムにおいて、受信メールからエラーコードを抽出するエラーコード抽出手段と、そのエラーコードに対応したエラー対処方法が記憶されているデータベース手段とをサーバー装置側に備え、画像処理装置に異常が発生し、その画像処理装置の表示手段にエラー発生理由ごとに決められた所定のエラーコードが表示され、そのエラーコードが携帯端末装置に入力されたとき、その携帯端末装置はそのエラーコードをメールにより前記サーバー装置へ送信し、そのエラーコードを受信したサーバー装置はそのエラーコードに対応したエラー対処方法記載の情報を前記データベース手段から検索し、該当するエラー対処方法記載のメールを前記携帯端末装置へ送信する構成にした。
また、請求項２記載の発明では、請求項１記載の発明において、エラーコードを受信したとき、サーバー装置はエラー対処方法に関する対処情報記載のメールにその対処情報と関連付けられた参考画像ファイルまたは参考動画ファイルを添付する構成にした。
また、請求項３記載の発明では、請求項１または請求項２記載の発明において、サーバー装置側に前記対処情報の他により詳細な対処方法を記載した詳細対処情報を記憶しておき、前記対処情報記載のメールに、対応する詳細対処情報にアクセスするためのアクセス情報を記載する構成にした。
また、請求項４記載の発明では、請求項３記載の発明において、前記詳細対処情報をｗｅｂページとして記憶しておき、前記アクセス情報をｗｅｂページアドレスとした。
【発明の効果】
【０００５】
請求項１記載の発明では、画像処理装置に異常が発生し、その画像処理装置の表示手段にエラー発生理由ごとに決められた所定のエラーコードが表示され、そのエラーコードが携帯端末装置に入力されたとき、その携帯端末装置はそのエラーコードをメールによりサーバー装置へ送信し、そのエラーコードを受信したサーバー装置はそのエラーコードに対応したエラー対処方法記載の情報をデータベース手段から検索し、該当するエラー対処方法記載のメールを当該携帯端末装置へ送信することができるので、操作者はメールで送られてきた対処方法を参照することにより容易且つ迅速に異常対処をおこなうことができ、したがって、装置のダウンタイムを減少させることができ、業務の効率化を図ることが可能となる。また、サービスセンターにおいても、問い合わせが減少するので、作業の効率化が可能となり、経費の削減が可能となる。さらに、広く普及している携帯電話機など携帯端末装置を用いるので、実現のためにホスト装置が不要となる。
【０００６】
また、請求項２記載の発明では、請求項１記載の発明において、エラーコードを受信したとき、サーバー装置はエラー対処方法に関する対処情報記載のメールにその対処情報と関連付けられた参考画像ファイルまたは参考動画ファイルを添付することができるので、操作者は画像情報を参照して異常対処をおこなうことができ、異常対処がさらに容易且つ迅速になり、請求項１記載の発明の効果をさらに上げることができる。
また、請求項３記載の発明では、請求項１または請求項２記載の発明において、サーバー装置側に対処情報の他により詳細な対処方法を記載した詳細対処情報を記憶しておき、対処情報記載のメールにその詳細対処情報にアクセスするためのアクセス情報を記載することができるので、操作者はさらに容易且つ迅速に異常対処おこなうことができ、請求項１または請求項２記載の発明の効果をさらに上げることができる。
また、請求項４記載の発明では、請求項３記載の発明において、詳細対処情報をｗｅｂページとして記憶しておき、アクセス情報をｗｅｂページアドレスとしたので、広く普及しているインフラを用いて請求項３記載の発明の効果を得ることができる。
【発明を実施するための最良の形態】
【０００７】
以下、画像処理装置が複写機の場合で、本発明の実施の形態を図面により詳細に説明する。なお、この複写機は、複写だけでなく、ローカルに接続されているかネットワークを介して接続されているパーソナルコンピュータ（以下、ＰＣと称す）などから指示して印刷動作をおこなうことも可能である。また、ファクシミリ機能を備え、外部機器と通信して画像のやりとりも可能である。
このような複写機では、作業の集中化が進み、装置の稼働率も向上しているために故障やトラブルが発生しやすくなっている。そのうえ、作業の集中化が進んでいるために、装置のダウンタイムが長引くと、業務への影響がすくなくない。業務への影響を減らすためには故障やトラブルの対処を迅速におこない、ダウンタイムを極力すくなくする必要がある。しかし、複写機など画像処理装置は機能の複合化に伴って構造が複雑化しており、故障やトラブルの対処方法は、難しくなってきているので、一般の操作者が対処する場合、手間取ってしまうことが多くなってきている。
【０００８】
この実施例の画像システムはこのような問題を解決しようというものであり、その第１の実施例のシステム構成は図１に示したとおりである。図示したように、第１の実施例の画像システムは、サーバー装置１、そのサーバー装置１から検索可能なデータベース２、サーバー装置１との間でメールを送受信できる携帯電話機など携帯端末装置３などを備えている。なお、異常対処の対象となる複写機については図７に示したように一般的な構成である。このような複写機を用いて複写をおこなう際には、操作者は、原稿読取り部１２に原稿をセットし、表示操作部１５により指示を入力する。そうすると、原稿読取り部１２により原稿が読み取られ、プロッタエンジン１７により原稿画像が形成され、その原稿画像が記録紙上に転写され、画像の定着がおこなわれ、排紙される。プリンタ機能やファクシミリ機能の場合も同様に記録紙上に画像が転写され、定着され、排紙される。
なお、この実施例では、請求項１記載の原稿読取り手段、表示手段、および画像形成手段がそれぞれ、原稿読取り部１２、表示操作部１５、およびプロッタエンジン１７により実現され、エラーコード抽出手段が、サーバー装置１内の図示していないＣＰＵおよびプログラムを内蔵したメモリなどにより実現される。
【０００９】
図２に、この実施例の動作フローを示す。以下、図２に従って、この実施例の動作フローを説明する。
この実施例では、操作者の操作、または印刷指示やファクシミリ送受信の発生により複写機が動作を開始するが、動作中に装置に紙づまりやトナー無しや装置そのもののトラブルなど異常状態が発生したとする（Ｓ１）。そうすると、複写機では、異常発生要因を自機内から自動的に収集し（Ｓ２）、表示操作部１５に簡単な対処方法とそのエラーコードを図９に示したように表示する（Ｓ３）。なお、エラーコードには装置固有の情報も含まれている。
このような異常状態に対して操作者が自力で対処できない場合（Ｓ４でＮ）、この実施例の画像システムでは、操作者が複写機の表示操作部１５に表示されたエラーコードを、メール送受信可能な携帯電話機など携帯端末装置３にその操作手段を用いて入力し、そのエラーコードをその携帯端末装置３からあらかじめユーザー情報を登録してあるサービスセンターのサーバー装置１へ送信する（Ｓ５）。
こうして、サービスセンターのサーバー装置１では、そのメールを受信し（Ｓ６）、メールの送信者メールアドレス情報からユーザー情報を参照し、送信者の特定をおこなう。また、メール本文からエラーコードを抽出し、取得する（Ｓ７）。そして、そのユーザー情報があらかじめサーバー装置１に登録されており、且つそのエラーコードも、サーバー装置１に登録されているユーザー情報ごとのエラーコードに一致すれば、サーバー装置１はデータベース２を参照し、そのエラーコードのエラー対処方法の情報を検索する（Ｓ８）。そして、当該エラーコードに対応したエラー対処方法の情報が検索された場合（Ｓ９でＹ）、サーバー装置１はそのエラー対処方法の情報をエラーコード送信者、つまり当該複写機操作者の携帯端末装置３へメールにより返信する（Ｓ１０）。
こうして、その携帯端末装置３でメールが受信され（Ｓ１１）、操作者はそのメールを見て異常状態に対処する（Ｓ１２）。
一方、ステップＳ９において該当するエラーコードが検索できなかった場合（Ｓ９でＮ）、サーバー装置１は操作者からのメールをユーザー情報とともにサービスマンへ転送し（Ｓ１３）、サービスマンが異常状態に対処する（Ｓ１４）。
こうして、この実施例によれば、操作者は携帯電話機など携帯端末装置３を用いて異常状態の対処方法を容易にすばやく得ることができるので、従来のように手順書を検索したり、サービス側に電話したりする手間が低減でき、迅速な対処も可能となる。また、複写機など画像処理装置のダウンタイムを減少させることができ、業務の効率化を図ることができる。保守管理部門やサービスセンターでも、異常状態の問い合わせの電話などが低減されるので、作業の効率化が可能となり、経費の削減が可能となる。また、この実現のために、特別なホスト装置などを必要としない。
【００１０】
次に、本発明の第２の実施例について説明する。
図３に示したように、この実施例では、第１の実施例の構成に加えて、対処方法を補足する画像情報または動画情報が記憶されている画像サーバー４を備える。近年の携帯電話機などでは、メールに添付された画像ファイルや動画ファイルをその画面に表示できるようになっていることに鑑みた構成であり、携帯端末装置３には、画像ファイルまたは動画ファイル、またはその両方を表示できる携帯電話機などを用いる。
図４に、この実施例の動作フローを示す。以下、図４に従って、この実施例の動作フローを説明する。
まず、複写機に異常状態が発生し（Ｓ２１）、その複写機では、異常発生要因を自機内から自動的に収集し（Ｓ２２）、表示操作部１５に簡単な対処方法とそのエラーコードを図９に示したように表示する（Ｓ２３）。
このような異常状態に対して操作者が自力で対処できない場合（Ｓ２４でＮ）、この実施例の画像システムでは、操作者が複写機の表示操作部１５に表示されたエラーコードを携帯電話機など携帯端末装置３にその操作手段を用いて入力し、そのエラーコードをその携帯端末装置３からユーザー情報登録済みのサーバー装置１へ送信する（Ｓ２５）。
こうして、サービスセンターのサーバー装置１では、そのメールを受信し（Ｓ２６）、メールの送信者メールアドレス情報から、ユーザー情報を参照し、送信者の特定をおこなう。また、メール本文からエラーコードを抽出し、取得する（Ｓ２７）。そして、このときに受信したユーザー情報があらかじめサーバー装置１に登録されているユーザー情報に一致し、且つエラーコードがあらかじめサーバー装置１に登録されているユーザー情報ごとのエラーコードに一致すれば、サーバー装置１はデータベース２を参照し、そのエラーコードのエラー対処方法の情報を検索する（Ｓ２８）。そして、当該エラーコードに対応したエラー対処方法の情報が検索された場合（Ｓ２９でＹ）、サーバー装置１は、画像サーバー４内に記憶されているそのエラー対処方法の情報に関連する画像情報を検索する。
【００１１】
その結果、そのエラー対処方法の情報に関連する画像情報がなければ（Ｓ３０でＮ）、第１の実施例と同様に操作者に対してエラー対処方法の情報を返信する（Ｓ３２）。それに対して、そのエラー対処方法の情報に関連した画像情報が画像サーバー４に保存されていれば（Ｓ３０でＹ）、そのエラー対処方法の情報記載のメールに画像または動画などの画像情報ファイルを添付し（Ｓ３１）、そのメールを操作者へ返信する（Ｓ３２）。こうして、操作者はエラー対処方法の情報とその対処方法を補足する画像情報を受信し（Ｓ３３）、受信した情報を参照して異常状態に対処する（Ｓ３４）。
一方、ステップＳ２９において該当するエラーコードが検索できなかった場合（Ｓ２９でＮ）、サーバー装置１は操作者からのメールをユーザー情報とともにサービスマンへ転送し（Ｓ３６）、サービスマンが異常状態に対処する（Ｓ３７）。
こうして、この実施例によれば、第１の実施例の場合と同様に装置の異常状態発生に対して迅速な対処をすることができるだけでなく、画像情報を参照することにより異常対処が容易になるので、装置のダウンタイムをさらに減少させることができ、更なる業務の効率化を図ることが可能となる。
【００１２】
次に、本発明の第３の実施例について説明する。
図５に示したように、この実施例では、第２の実施例の構成に加えて、異常状態に対する対処方法を補足するＷｅｂページを閲覧可能なＷＷＷサーバー５を備えている。このＷＷＷサーバー５はインターネットに接続されており、そのＷＷＷサーバー５側に記憶されている文書情報や画像情報をＰＣなどからネットワーク経由で閲覧可能である。前記したように、近年では携帯電話機など携帯端末装置３もブラウザ機能を備えており、そのブラウザ機能を用いて、携帯端末装置３からもＰＣとほぼ同様にＷＷＷサーバー内のｗｅｂページを参照できるのである。
第３の実施例は、このような背景に基づいており、複写機など画像処理装置にエラーやトラブルが発生した場合、装置の表示部にエラーコードを表示し、操作者がエラーコードをサービスセンターにメールで送信することにより、エラー対処方法などをメールで受信し、さらに、ＷＷＷサーバー５内のｗｅｂページを参照することにより確認する。ＷＷＷサーバー５内には各エラーコードに対応づけて対処方法などを詳しく説明したｗｅｂページが記憶されていて、このｗｅｂページは携帯電話機など携帯端末装置３から閲覧可能なように最適化されているが、もちろんＰＣからも閲覧が可能である。
【００１３】
図６に、この実施例の動作フローを示す。以下、図６に従って、この実施例の動作フローを説明する。
まず、複写機に異常状態が発生し（Ｓ４１）、その複写機では、異常発生要因を自機内から自動的に収集し（Ｓ４２）、表示操作部１５に簡単な対処方法とそのエラーコードを図９に示したように表示する（Ｓ４３）。
このような異常状態に対して操作者が自力で対処できない場合（Ｓ４４でＮ）、この実施例の画像システムでは、操作者が複写機の表示操作部１５に表示されたエラーコードを携帯電話機など携帯端末装置３にその操作手段を用いて入力し、そのエラーコードをその携帯端末装置３からあらかじめユーザー情報を登録してあるサービスセンターのサーバー装置１へ送信する（Ｓ４５）。
こうして、サービスセンターのサーバー装置１では、そのメールを受信し（Ｓ４６）、メールの送信者メールアドレス情報から、ユーザー情報を参照し、送信者の特定をおこなう。また、メール本文からエラーコードを抽出し、取得する（Ｓ４７）。そして、このときに受信したユーザー情報があらかじめサーバー装置１に登録されているユーザー情報に一致し、且つエラーコードがあらかじめサーバー装置１に登録されているユーザー情報ごとのエラーコードに一致すれば、サーバー装置１はデータベース２を参照し、そのエラーコードの対処方法の情報を検索する（Ｓ４８）。そして、当該エラーコードに対応したエラー対処方法の情報が検索された場合（Ｓ４９でＹ）、サーバー装置１は、さらに、画像サーバー４内に記憶されているそのエラー対処方法の情報に関連する画像情報を検索し、そのエラー対処方法の情報に関連した画像情報が画像サーバー４に保存されていれば（Ｓ５０でＹ）、そのエラー対処方法記載のメールに画像または動画などの画像情報ファイルを添付する（Ｓ５１）。
【００１４】
前記したように、この実施例ではさらにｗｅｂページも閲覧するが、一般にｗｅｂページにアクセスして閲覧するような場合、ｗｅｂページのアドレスを指定するのにＵＲＬ（Uniform Resource Locator）が使われている。そこで、この実施例では、エラーコードとエラー説明を補足するｗｅｂページをあらかじめ関連づけておき、サーバー装置１はエラーコードに関連づけられたｗｅｂページをＷＷＷサーバー５内で検索し、関連したｗｅｂページが見つかれば（Ｓ５２でＹ）、ＷＷＷサーバー５はサーバー装置１に対してｗｅｂページのＵＲＬを通知する。サーバー装置１は前記したように操作者に対してエラーの対処方法を返信するが、ＵＲＬが通知されると、エラー対処方法記載の前記メールにさらにｗｅｂページのＵＲＬを付加し（Ｓ５３）、そのメールを操作者へ返信する（Ｓ５４）。
こうして、携帯端末装置３ではメールを受信し（Ｓ５５）、操作者はメールに書かれたエラー対処方法を参照して装置の異常に対処するが、メールに書かれた対処方法よりさらに詳細な方法を知りたい場合は（Ｓ５６でＹ）、携帯電話機など携帯端末装置３のブラウザ機能を用いてメールに付加されているＵＲＬで指定されたｗｅｂページにアクセスし（Ｓ５７）、さらに詳しく説明しているｗｅｂページを閲覧することにより詳細情報を参照し、異常に対処する（Ｓ５８）。
一方、ステップＳ４９において該当するエラーコードが検索できなかった場合（Ｓ４９でＮ）、サーバー装置１は操作者からのメールをユーザー情報とともにサービスマンへ転送し（Ｓ５９）、サービスマンが異常状態に対処する（Ｓ６０）。
【００１５】
こうして、この実施例によれば、操作者は第１または第２の実施例の効果に加え、携帯電話機などのブラウザ機能で対処方法の詳細説明を参照することが可能となることにより異常対応が容易となり、迅速な異常対処が可能となる。その結果、装置のダウンタイムも減少するので、業務の効率化を図ることが可能となる。また、サービスセンターにおいても、問い合わせの電話の減少や作業の効率化が可能となり、経費の削減も可能となる。
なお、第３の実施例で、詳細対処情報をｗｅｂページ以外の形式でサーバー装置側に記憶しておき、対処情報記載のメールには、詳細対処情報にアクセスするための情報としてｗｅｂページアドレスに相当する他のアクセス情報を記載する構成も可能である。また。第３の実施例は、第２の実施例の構成にＷＷＷサーバー５を加える構成で説明したが、第１の実施例の構成にＷＷＷサーバー５を加える構成も可能である。
以上、画像処理装置が複写機の場合で説明したが、画像処理装置は複写機に制限されるものではなく、プリンタ、スキャナ、ファクシミリ装置などであってもよい。
【図面の簡単な説明】
【００１６】
【図１】本発明の第１の実施例を示す、画像システムのシステム構成図。
【図２】本発明の第１の実施例を示す、画像システムの動作フロー図。
【図３】本発明の第２の実施例を示す、画像システムのシステム構成図。
【図４】本発明の第２の実施例を示す、画像システムの動作フロー図。
【図５】本発明の第３の実施例を示す、画像システムのシステム構成図。
【図６】本発明の第３の実施例を示す、画像システムの動作フロー図。
【図７】本発明および従来技術の複写機を示す、外観図。
【図８】本発明および従来技術の複写機を示す、構成ブロック図。
【図９】本発明および従来技術の複写機を示す、画面図。
【符号の説明】
【００１７】
１  サーバー装置
２  データベース
３  携帯端末装置
４  画像サーバー
５  ＷＷＷサーバー
【図１】
2005064762.tif 000003
【図２】
2005064762.tif 000004
【図３】
2005064762.tif 000005
【図４】
2005064762.tif 000006
【図５】
2005064762.tif 000007
【図６】
2005064762.tif 000008
【図７】
2005064762.tif 000009
【図８】
2005064762.tif 000010
【図９】
2005064762.tif 000011